(57)【要約】【課題】  指の傷つきやすい乳幼児等の指輪のサイズを測定するためのリングゲージを提供する。【解決手段】  貫通孔を通じて連結部材１１によって綴られた複数のゲージ部材１０と、各ゲージ部材１０に形成された異なる孔径のゲージ孔１２と、サイズ番号１３と切り込み１４から構成され、ゲージ部材１０の周縁部からゲージ孔１２の近傍まで切り込み誘導構造を備える。【選択図】図１
0003164093.tif 000002
【実用新案登録請求の範囲】
【請求項１】
指輪のサイズを測るためのゲージ部材を複数設けたリングゲージにおいて、
各ゲージ部材は、破りやすい材質の大略板状体であり、その長さ方向一端部に指の挿入によって指のサイズを測定するためのゲージ孔が形成され、かつ、他端部に連結部材を挿入して複数のゲージ部材同士を綴るための連結孔が設けられていると共に、ゲージ部材の周縁部からゲージ孔の近傍まで切り込み誘導構造が形成されたものであり、
連結部材を各ゲージ部材の連結孔に挿通して複数のゲージ部材同士を綴るようにし、かつ、前記切り込み誘導構造によってゲージ部材の周縁部から前記ゲージ孔に至るまで切り裂いて前記ゲージ孔の周縁が外部に開放できるようにしたことを特徴とするリングゲージ。
【請求項２】
ゲージ部材のゲージ孔を形成した箇所の周縁には、ゲージ孔に対象者の指を挿入して指寸法を測っている際に挿入指以外の指の干渉を避ける弧状の切り欠きが形成されていることを特徴とする請求項１に記載のリングゲージ。
【請求項３】
ゲージ部材は全体が勾玉状に弧を形作るようになした板状体であって一端部が他端部よりも大径でゲージ孔が形成されていて、全体の表面が滑りやすいフェルト状に形成されていることを特徴とする請求項１又は２に記載のリングゲージ。
【請求項４】
連結部材は、尾端が傘状で抜け止めし、かつ、先端が略ハの字状に折り曲げて広がられる割ピンであり、複数のゲージ部材の連結孔に連結部材の先端を挿通して当該先端を折り曲げた部分には、シール部材によって張り付けて覆ったことを特徴とする請求項１〜３のいずれか一項に記載のリングゲージ。
【考案の詳細な説明】
【技術分野】
【０００１】
本考案は、適切な指輪のサイズを測定するためのリングゲージに関し、特に、指の傷つきやすい乳幼児の指輪のサイズを測定するためのリングゲージに関する。
【背景技術】
【０００２】
従来、孔径の異なる金属製もしくは樹脂製の複数のリング状のゲージ部材をホルダー部材に遊挿させたリングゲージが公知となっている（例えば特許文献１参照）。
【０００３】
従来のリングゲージによる指輪のサイズの測定は、複数のゲージ部材の中から指の太さに適合しそうな任意のゲージ部材を選び、指に挿入することによって行われる。また、通常は、指の太さに最適なサイズを探すために複数のゲージ部材に指を挿入しては外すという作業が繰り返される。
【先行技術文献】
【特許文献】
【０００４】
【特許文献１】実用新案登録第３０１８３９９号公報
【考案の概要】
【考案が解決しようとする課題】
【０００５】
しかし、従来のリングゲージのゲージ部材は金属や樹脂などの硬質の素材により形成されるため、指輪のサイズ測定の作業の過程において、指の太さに合致するサイズよりも小さいサイズのゲージ部材を指に挿入した場合、指からゲージ部材を外し難くなり、無理に力を入れて外そうとすると指を痛めてしまうおそれがあった。特に指の柔らかい乳幼児は指が傷つきやすく、従来のリングゲージを使用することは安全性において大きな問題があった。
【０００６】
そのため、乳幼児の指輪のサイズを測定する場合には、より安全な方法として、糸や紙を指に巻きつけ、フェルトマーカー等で印を付けることにより指の周径を測定し、該周径から適切な指輪のサイズを導き出す方法が用いられている。しかし、この方法によると、糸や紙を指に巻く際に生じるねじれや力加減等によって指の周径の測定値に誤差が生じるため、慣れていない者にとっては正確な指輪のサイズの測定が困難な上、非常に手間がかかるものであった。
その他、従来のリングゲージは嵩張るため、配送コストがかかる等の問題があった。
【課題を解決するための手段】
【０００７】
本考案は、前記課題を解決するため、以下の構成を採用した。
【０００８】
すなわち、本考案に係るリングゲージは、指輪のサイズを測るためのゲージ部材を複数設けたリングゲージにおいて、各ゲージ部材は、破りやすい材質の大略板状体であり、その長さ方向一端部に指の挿入によって指のサイズを測定するためのゲージ孔が形成され、かつ、他端部に連結部材を挿入して複数のゲージ部材同士を綴るための連結孔が設けられていると共に、ゲージ部材の周縁部からゲージ孔の近傍まで切り込み誘導構造が形成されたものであり、連結部材を各ゲージ部材の連結孔に挿通して複数のゲージ部材同士を綴るようにし、かつ、前記切り込み誘導構造によってゲージ部材の周縁部から前記ゲージ孔に至るまで切り裂いて前記ゲージ孔の周縁が外部に開放できるようにしたことを特徴とする。
【０００９】
また、本考案に係るリングゲージは、ゲージ部材のゲージ孔を形成した箇所の周縁には、ゲージ孔に対象者の指を挿入して指寸法を測っている際に挿入指以外の指の干渉を避ける弧状の切り欠きが形成されていることを特徴とする。
【００１０】
また、本考案に係るリングゲージは、ゲージ部材は全体が勾玉状に弧を形作るようになした板状体であって一端部が他端部よりも大径でゲージ孔が形成されていて、全体の表面が滑りやすいフェルト状に形成されていることを特徴とする。
【００１１】
また、本考案に係るリングゲージは、連結部材は、尾端が傘状で抜け止めし、かつ、先端が略ハの字状に折り曲げて広がられる割ピンであり、複数のゲージ部材の連結孔に連結部材の先端を挿通して当該先端を折り曲げた部分には、シール部材によって張り付けて覆ったことを特徴とする。
【考案の効果】
【００１２】
本考案のリングゲージによれば、ゲージ部材から指を外し難い場合には、切り込み誘導構造を利用し、ゲージ部材の周縁部から前記ゲージ孔に至るまで切り裂いてゲージ孔の周縁を開放することができるので、指が柔らかく傷つきやすい乳幼児であってもゲージ部材を外す際に指を傷つける恐れがなく、指輪のサイズを安全に測定することが可能となる。また、各ゲージ部材が連結部材によって綴られているためコンパクトであり、持ちやすさや携帯性に優れ、顧客への配送する場合にも好適である。
【００１３】
また、本考案のリングゲージによれば、ゲージ部材に弧状の切り欠きが設けられており、指輪のサイズを測定する時に指をゲージ部材に挿入する際に挿入する指以外の他の指が干渉することがないため、他の指を傷つけることなく安全かつ容易に指輪のサイズを測定することが可能である。
【００１４】
また、本考案のリングゲージによれば、全体が勾玉状に弧を形作るようになした板状体に形成されているため持ちやすく、全体の表面がフェルト状に形成され滑らかな手触りとなっているため、乳幼児等の敏感な皮膚を刺激することなく指輪のサイズの測定が可能である。
【００１５】
また、本考案に係るリングゲージによれば、各ゲージ部材が割ピンによって回動自在に固定されており、一のゲージ部材を用いて指輪のサイズを測定している際に他のゲージ部材が動かず邪魔にならないため便利である。さらに、割ピンの先端を折り曲げた部分はシール部材によって覆われているため、割ピンの先端によって指を傷つけることが防止される。
【図面の簡単な説明】
【００１６】
【図１】本考案の第１実施形態に係るリングゲージ１の斜視図である。
【図２】本考案の第1実施形態に係るリングゲージ１の背面図である。
【図３】本考案の第１実施形態に係るリングゲージ１の各ゲージ部材１０を広げた状態を示す図である。
【図４】本考案の第１実施形態に係るリングゲージ１の使用状態を示す図である。
【図５】本考案の第２実施形態に係るリングゲージ２の斜視図である。
【図６】本考案の第２実施形態に係るリングゲージ２の背面図である。
【図７】本考案の第２実施形態に係るリングゲージ２の各ゲージ部材２０を広げた状態を示す図である。
【図８】本考案の第２実施形態に係るリングゲージ２の使用状態を示す図である。
【考案を実施するための形態】
【００１７】
以下に、本考案の具体的な実施形態を図面を参照しながら詳述する。
【実施例１】
【００１８】
図１は、本考案の実施形態の一例（実施例１）を示すリングゲージ１を表す図面である。
【００１９】
図１〜図４は、本考案に係るリングゲージの一例を示し、図１は斜視図、図２は背面図、図３は各ゲージ部材１０を広げた図、図４は指輪のサイズを測定している使用状態を示す斜視図である。
【００２０】
このリングゲージ１は、図１に示すように、複数のゲージ部材１０が貫通孔を通じて連結部材１１によって綴られている。また、図３に示すように、各ゲージ部材１０には異なる孔径のゲージ孔１２が形成されている。
【００２１】
ゲージ部材１０の素材としては、各種の紙、及びマニラボール、白ボール等の紙器用板紙等が挙げられる。
また、ゲージ部材１０の厚さＸは、大きいほどゲージ部材１０は丈夫なものとなるが、厚さＸが大きすぎると切り込み誘導構造を用いてゲージ部材１０を手で切り裂くことが困難となってしまう。この点を考慮すると、ゲージ部材１０の厚さＸは、好ましくは０．５ｍｍ〜１．５ｍｍ、更に好ましくは０．８ｍｍ〜１．２ｍｍ程度とすることが望ましい。
さらに、乳幼児等の敏感な皮膚を刺激することがないように、ゲージ部材１０の素材の表面にフェルト材による層を設けることにより、ゲージ部材１０の表面を滑らかな手触りとすることも可能である。
【００２２】
ゲージ部材１０の形状は、図１のとおり、全体が勾玉状に弧を形作るようになした板状体であり、一端部が他端部よりも大径でゲージ孔１２が形成される形状となっている。これにより、持ちやすさ、安全性、切り込み誘導構造を用いてゲージ部材１０を手で切り裂く場合の容易性等を確保することが可能である。ただし、ゲージ部材１０の形状は必ずしもこれに限られることはなく、例えば楕円形状、矩形状等としてもよい。
【００２３】
連結部材１１は、各ゲージ部材１０の連結孔に挿通して複数のゲージ部材１０を綴じることができるものであればよく、割ピンやリング状の綴じ具等が挙げられるが、図１〜図４のように連結部材１１を割ピンとした場合、各ゲージ部材１０が割ピンによって回動自在に固定されるため、一のゲージ部材を用いて指輪のサイズを測定している際に他のゲージ部材が動かず邪魔にならないため便利である。
また、連結部材１１を割ピンとした場合、割ピンの先端は略ハの字状に折り曲げて固定されることとなるが、図２のように当該部分をシール部材１５によって覆うことにより、割ピンの先端によって指１６を傷つけることが防止される。シール部材としては割ピンの先端を覆うことができるものであれば特に限定されるものではないが、例えば塩化ビニルテープ、クラフト粘着テープ、布粘着テープ等のテープ材等を挙げることができ、やや厚手のものが好ましい。
【００２４】
各ゲージ部材１０には、図３のとおりそれぞれ異なる孔径のゲージ孔１２を有するところ、ゲージ孔１２の孔径は指輪のサイズの孔径に対応する大きさとなっている。
また、ゲージ孔１２は図１〜図４では円形となっているが、これに限られるものではなく、用いられる指輪の形状に合わせて適宜選定すればよい。例えば、用いられる指輪が楕円形状、四角形状等であれば、これを模してゲージ孔１２の形状も楕円形状、四角形状等とすることで、正確な指輪のサイズの選定が可能となる。
【００２５】
さらに、各ゲージ部材１０には、各ゲージ孔１２の対応する指輪のサイズを示す数字であるサイズ番号１３が箔押し、印刷、型押し等により記されている。
【００２６】
なお、図１〜図４では綴られるゲージ部材１０の枚数は８枚となっているが、特に限定されるものではなく、リングゲージ１の持ちやすさ、携帯性等を考慮して適宜決定されるものであり、好ましくは２枚〜２０枚、更に好ましくは５枚〜１５枚程度が好ましい。
【００２７】
また、図３ではゲージ孔１２の孔径は、乳幼児の指１６の太さに合わせ７ｍｍ〜１２ｍｍ程度とし、各ゲージ孔１２の孔径に対応するサイズ番号１３を記しているが、これに限定されるものではなく、使用者の年齢、性別等による指の太さの相違を考慮して適宜選定すればよい。
【００２８】
そして、各ゲージ部材１０には切り込み誘導構造が設けられている。この切り込み誘導構造とは、ゲージ部材１０に切り込み等を設けることにより、ゲージ部材１０の周縁部から前記ゲージ孔１２に至るまで手で切り裂いて、前記ゲージ孔１２の周縁が外部に開放することができる構造とするものである。リングゲージ１においては、ゲージ部材１０の周縁部からゲージ孔１２の周縁近傍まで切り込み１４が設けられることにより、切り込み誘導構造を形成している。
【００２９】
切り込み誘導構造は、切り込み１４を設ける以外にも種々の方法、例えば、切り込み１４の代わりにミシン目や、Ｖ字溝、Ｕ字溝等を設ける方法によっても形成することができる。
【００３０】
また、切り込み１４とゲージ孔１２の周縁との距離Ｙは、切り込み誘導構造を用いてゲージ部材１０を手で容易に切り裂くことのできる程度の距離とする必要があるが、距離Ｙが短すぎるとゲージ孔１２へ指１６を挿入するだけでゲージ部材１０が破れてしまい、指輪のサイズの測定が困難となる。この点を考慮すると、ゲージ部材１０の素材の厚さや使用対象者の握力等によっても異なるものの、距離Ｙは好ましくは１ｍｍ〜５ｍｍが目安であり、このうち１．５ｍｍ〜３ｍｍ程度が好ましい。
【００３１】
次に、図面を参照しながらリングゲージ１の使用方法について説明する。
まず、リングゲージ１において、綴られている各ゲージ部材１０のうち任意のゲージ部材１０を選び、適切な指輪のサイズを測定したい指１６を図４のように該ゲージ部材１０のゲージ孔１２に挿入する。指１６の太さよりゲージ孔１２が小さく、指１６の根元付近までゲージ孔１２を挿入できない場合や、逆にゲージ孔１２が大きく、指１６に挿入したゲージ部材１０が指１６に留まらず簡単に外れてしまう場合は、更に別のゲージ部材１０を選び、同様の作業を行う。これを繰り返し、指１６に挿入する指輪のサイズとして最適と思われるゲージ孔１２を有するゲージ部材１０を発見した場合、該ゲージ部材１０に記されているサイズ番号１３を参照することによって、最適な指輪のサイズを知ることができる。
【００３２】
また、指１６にゲージ孔１２を挿入したものの、ゲージ孔１２が小さいためゲージ部材１０から指１６を容易に外せなくなった場合は、切り込み誘導構造を利用してゲージ部材１０を手で切り裂き、ゲージ孔１２の周縁を外部に開放することで指１６を外すことができる。
【実施例２】
【００３３】
図５〜図８は、本考案の実施形態の一例（実施例２）を示すリングゲージ２を表す図面であり、図５は斜視図、図６は背面図、図７は各ゲージ部材２０を広げた図、図８は指輪のサイズを測定している使用状態を示す斜視図である。
【００３４】
このリングゲージ２は、図５〜図８に示すように、ゲージ部材２０のゲージ孔２２を形成した箇所の周縁に、ゲージ孔２２に対象者の指２７を挿入して指寸法を測っている際に挿入する指以外の他の指２８の干渉を避ける弧状の切り欠き２５が形成されている以外は、リングゲージ１と同様の構成である。
指の筋力が十分に発達していない乳幼児の場合、それぞれの指を独立して動かすことが難しい。そのため、ゲージ部材２０を指２７に挿入するために指２７と他の指２８とのすき間を広げることが困難な場合があるが、切り欠き２５を形成することで、ゲージ部材２０を指２７に挿入する際に必要な指２７と他の指２８とのすき間は小さくなるので、そのような場合であっても乳幼児の指輪のサイズの測定を容易に行うことができる。
【００３５】
なお、切り欠き２５の形状は弧状の切り欠きに限られることはなく、例えばくの字状や、コの字状の切り欠きとしてもよい。
【００３６】
以上、本考案に係るリングゲージの実施形態を説明したが、本考案は上記各実施形態に限定されず、本考案の技術思想の範囲内で種々の変更が可能である。
【００３７】
例えば、ゲージ部材１０、２０の素材として各種の紙、及びマニラボール、白ボール等の紙器用板紙等が挙げられる旨説明したが、ゲージ孔１２、２２への指の挿入時にゲージ部材１０、２０が破れない程度の強度を保ちつつ、切り込み誘導構造を用いてゲージ部材１０、２０を手で容易に切り裂くことのできる機能を担保する素材であればこれに限られるものではなく、例えば樹脂等を用いても良い。
【００３８】
また、本考案は主として乳幼児の指輪のサイズを測定するものとして説明したが、この外にも、例えば関節の太い者など、従来のリングゲージのゲージ部材が外し難くなる可能性の高い者にとって、切り込み誘導構造を有する本考案は同様に有用である。
【符号の説明】
【００３９】
１      リングゲージ
１０    ゲージ部材
１１    連結部材
１２    ゲージ孔
１３    サイズ番号
１４    切り込み
１５    シール部材
１６    指
２      リングゲージ
２０    ゲージ部材
２１    連結部材
２２    ゲージ孔
２３    サイズ番号
２４    切り込み
２５    切り欠き
２６    シール部材
２７    指
２８    他の指
【図１】
0003164093.tif 000003
【図２】
0003164093.tif 000004
【図３】
0003164093.tif 000005
【図４】
0003164093.tif 000006
【図５】
0003164093.tif 000007
【図６】
0003164093.tif 000008
【図７】
0003164093.tif 000009
【図８】
0003164093.tif 000010